(57)【要約】      （修正有）【課題】アップリンク（ＵＬ）情報を送信する方法および装置、ならびにＵＬ情報を受信する方法および装置ににおいて、待ち時間低減のために、ＵＬシンボルの数を減らすことが提案されている。したがって、減少したＵＬシンボルを伴うフレーム構成に適応するために、新しいＰＵＣＣＨチャネル構成および新しいＵＬ情報伝送ソリューションうぇ。【解決手段】ＵＬ情報を送信する方法は、第１のシーケンスを使用して基準信号を送信することと、第２のシーケンスを使用してＵＬ制御情報を送信することと、を備え、基準信号とＵＬ制御情報は周波数領域で互い違いにずらして多重化される。アップリンク情報は、減少したアップリンクシンボルを伴う提案されたサブフレーム構成に適合するように、減少したアップリンクシンボルで送信することができ、従って、送信待ち時間を大幅に低減することができる。【選択図】図９
2020092442.tif 000002
【特許請求の範囲】
【請求項１】
ＵＥ（Ｕｓｅｒ  Ｅｑｕｉｐｍｅｎｔ）によって行われる方法であって、
第２のシーケンスにｅｊαｎ  （ただし、０≦ｎ≦１１）を掛けることによって第１のシーケンスを生成することと、
前記第１のシーケンスに基づいて生成されたＰＵＣＣＨ（Ｐｈｙｓｉｃａｌ  Ｕｐｌｉｎｋ  Ｃｏｎｔｒｏｌ  Ｃｈａｎｎｅｌ）を基地局へ送信することと、
を備え、
前記第２のシーケンスはベースシーケンスＲ（ｎ）であり、
サイクリックシフトαの値はｋの値に基づいて決定され、前記ｋの値は、ＨＡＲＱ（Ｈｙｂｒｉｄ  Ａｕｔｏｍａｔｉｃ  Ｒｅｐｅａｔ  Ｒｅｑｕｅｓｔ）−ＡＣＫ（Ａｃｋｎｏｗｌｅｄｇｅｍｅｎｔ）情報ビットの値の２ビットのペアに対応し、前記ＨＡＲＱ−ＡＣＫ情報ビットのそれぞれは、ＮＡＣＫを示す０、又はＡＣＫを示す１のいずれかであり、
α＝２πｋ／１２  （ただし、０≦ｋ≦１１）である、
方法。
【請求項２】
前記ベースシーケンスＲ（ｎ）は、Ｒ（ｎ）＝ｅｊφ（ｎ）π／４で定義され、
φ（ｎ）の値は、ｎの値によって−１、１、−３、又は３の間で変動する、
請求項１に記載の方法。
【請求項３】
前記第１のシーケンスは、前記ＨＡＲＱ−ＡＣＫ情報ビットから変調されたシンボルと掛け合わされることなく、リソース要素にマッピングされる、
請求項１又は２に記載の方法。
【請求項４】
前記ＰＵＣＣＨは、ＤＭＲＳ（Ｄｅｍｏｄｕｌａｔｉｏｎ  Ｒｅｆｅｒｅｎｃｅ  Ｓｉｇｎａｌ）と周波数分割多重されることなく送信される、
請求項１乃至３のいずれか１つに記載の方法。
【請求項５】
前記ＰＵＣＣＨは、前記ＤＭＲＳと時間分割多重されることなく送信される、
請求項４に記載の方法。
【請求項６】
｛０、１、２｝のうちいずれかの前記ｋの値が対応する第１の前記ＨＡＲＱ−ＡＣＫ情報ビットの値の２ビットのペアと、
｛３、４、５｝のうちいずれかの前記ｋの値が対応する第２の前記ＨＡＲＱ−ＡＣＫ情報ビットの値の２ビットのペアと、
｛６、７、８｝のうちいずれかの前記ｋの値が対応する第３の前記ＨＡＲＱ−ＡＣＫ情報ビットの値の２ビットのペアと、
｛９、１０、１１｝のうちいずれかの前記ｋの値が対応する第４の前記ＨＡＲＱ−ＡＣＫ情報ビットの値の２ビットのペアは、
時間ドメインにおける同一シンボルにおいて、互いに異なる、
請求項１乃至５のいずれかに１つに記載の方法。
【請求項７】
２ビット  ００で示される前記ＨＡＲＱ−ＡＣＫ情報ビットの値の２ビットのペアに対応するｋの第１の値と、
００とは異なる２ビットで示される前記ＨＡＲＱ−ＡＣＫ情報ビットの値の２ビットのペアに対応するｋの第２の値との差は、
３の倍数である、
請求項１乃至６のいずれか１つに記載の方法。
【請求項８】
前記ＨＡＲＱ−ＡＣＫ情報ビットの値の２ビットのペアに対応する前記ｋの値は、時間ドメインにおける同一シンボルにおいてＵＥ固有である、
請求項１乃至７のいずれか１つに記載の方法。
【請求項９】
前記ＰＵＣＣＨの送信は、１シンボル又は２シンボルの時間長である、
請求項１乃至８のいずれか１つに記載の方法。
【請求項１０】
前記ｋの値は、時間ドメインにおける同一シンボルにおいて、前記ＨＡＲＱ−ＡＣＫ情報ビットの値の２ビットのペアに対応する、
請求項１乃至９のいずれか１つに記載の方法。
【請求項１１】
ＵＥ（Ｕｓｅｒ  Ｅｑｕｉｐｍｅｎｔ）であって、
第２のシーケンスにｅｊαｎ  （ただし、０≦ｎ≦１１）を掛けることによって第１のシーケンスを生成し、
前記第１のシーケンスに基づいて生成されたＰＵＣＣＨ（Ｐｈｙｓｉｃａｌ  Ｕｐｌｉｎｋ  Ｃｏｎｔｒｏｌ  Ｃｈａｎｎｅｌ）を基地局へ送信するように構成され、
前記第２のシーケンスはベースシーケンスＲ（ｎ）であり、
サイクリックシフトαの値はｋの値に基づいて決定され、前記ｋの値は、ＨＡＲＱ（Ｈｙｂｒｉｄ  Ａｕｔｏｍａｔｉｃ  Ｒｅｐｅａｔ  Ｒｅｑｕｅｓｔ）−ＡＣＫ（Ａｃｋｎｏｗｌｅｄｇｅｍｅｎｔ）情報ビットの値の２ビットのペアに対応し、前記ＨＡＲＱ−ＡＣＫ情報ビットのそれぞれは、ＮＡＣＫを示す０、又はＡＣＫを示す１のいずれかであり、
α＝２πｋ／１２  （ただし、０≦ｋ≦１１）である、
ＵＥ。
【請求項１２】
前記ベースシーケンスＲ（ｎ）は、Ｒ（ｎ）＝ｅｊφ（ｎ）π／４で定義され、
φ（ｎ）の値は、ｎの値によって−１、１、−３、又は３の間で変動する、
請求項１１に記載のＵＥ。
【請求項１３】
前記第１のシーケンスは、前記ＨＡＲＱ−ＡＣＫ情報ビットから変調されたシンボルと掛け合わされることなく、リソース要素にマッピングされる、
請求項１１又は１２に記載のＵＥ。
【請求項１４】
前記ＰＵＣＣＨは、ＤＭＲＳ（Ｄｅｍｏｄｕｌａｔｉｏｎ  Ｒｅｆｅｒｅｎｃｅ  Ｓｉｇｎａｌ）と周波数分割多重されることなく送信される、
請求項１１乃至１３のいずれか１つに記載のＵＥ。
【請求項１５】
前記ＰＵＣＣＨは、前記ＤＭＲＳと時間分割多重されることなく送信される、
請求項１４に記載のＵＥ。
【請求項１６】
｛０、１、２｝のうちいずれかの前記ｋの値が対応する第１の前記ＨＡＲＱ−ＡＣＫ情報ビットの値の２ビットのペアと、
｛３、４、５｝のうちいずれかの前記ｋの値が対応する第２の前記ＨＡＲＱ−ＡＣＫ情報ビットの値の２ビットのペアと、
｛６、７、８｝のうちいずれかの前記ｋの値が対応する第３の前記ＨＡＲＱ−ＡＣＫ情報ビットの値の２ビットのペアと、
｛９、１０、１１｝のうちいずれかの前記ｋの値が対応する第４の前記ＨＡＲＱ−ＡＣＫ情報ビットの値の２ビットのペアは、
時間ドメインにおける同一シンボルにおいて、互いに異なる、
請求項１１乃至１５のいずれか１つに記載のＵＥ。
【請求項１７】
２ビット  ００で示される前記ＨＡＲＱ−ＡＣＫ情報ビットの値の２ビットのペアに対応するｋの第１の値と、
００とは異なる２ビットで示される前記ＨＡＲＱ−ＡＣＫ情報ビットの値の２ビットのペアに対応するｋの第２の値との差は、
３の倍数である、
請求項１１乃至１６のいずれか１つに記載のＵＥ。
【請求項１８】
前記ＨＡＲＱ−ＡＣＫ情報ビットの値の２ビットのペアに対応する前記ｋの値は、時間ドメインにおける同一シンボルにおいてＵＥ固有である、
請求項１１乃至１７のいずれか１つに記載のＵＥ。
【請求項１９】
前記ＰＵＣＣＨの送信は、１シンボル又は２シンボルの時間長である、
請求項１１乃至１８のいずれか１つに記載のＵＥ。
【請求項２０】
前記ｋの値は、時間ドメインにおける同一シンボルにおいて、前記ＨＡＲＱ−ＡＣＫ情報ビットの値の２ビットのペアに対応する、
請求項１１乃至１９のいずれか１つに記載のＵＥ。
【発明の詳細な説明】
【技術分野】
【０００１】
本開示の実施形態は、一般に無線通信技術に関し、より詳細には、アップリンク（ＵＬ）情報を送信する方法および装置、ならびにＵＬ情報を受信する方法および装置に関する。
【背景技術】
【０００２】
既存の無線通信において、サブフレームは、それぞれが７つのシンボルを含む２つのスロットを備える。図１に示すように、スロット内の全ての７つのシンボルは、物理アップリンク制御チャネル（ＰＵＣＣＨ）送信、復調基準信号（ＤＭＲＳ）送信などのためのＵＬシンボルとして使用することができる。ＰＵＣＣＨは、例えば、ＡＣＫ／ＮＡＣＫ、チャネル品質インジケータ（ＣＱＩ）、プレコーディング行列インジケータ（ＰＭＩ）、（ランクインジケータ）ＲＩなどのような、アップリンク制御情報を運ぶＵＬチャネルである。図１に示すように、３つの中間シンボルは、ＤＭＲＳを送信するために使用され、他のシンボルは、ＰＵＣＣＨシンボルを送信するために使用される。
【０００３】
通常、シンボルが送信された後、さらに４つのシンボルが送信される前にＰＵＣＣＨ上でＡＣＫ／ＮＡＣＫが受信され、これは実質的な待ち時間を意味する。待ち時間を低減するために、ＵＬシンボルの数を減らすことが提案されている。将来の５世代（５Ｇ）通信では、１つまたは複数のシンボルのみのフレーム構成が待ち時間低減のために提案されており、これは、ＵＬ送信のために１つのシンボルまたは複数のシンボルが存在することを意味する。説明のために、図２は、可能な新しいサブフレーム構成のうちの１つを示しており、ＵＬ送信のためのシンボルは１つだけである。しかし、別の可能性のある新しいサブフレーム構成では、シンボルは、別の位置に配置されてもよく、および／または複数のＵＬシンボルを備えてもよいことを理解されたい。
【０００４】
したがって、減少したＵＬシンボルを伴うフレーム構成に適応するために、新しいＰＵＣＣＨチャネル構成および新しいＵＬ情報伝送ソリューションが要求される。
【発明の概要】
【発明が解決しようとする課題】
【０００５】
本開示では、従来技術の問題の少なくとも一部を緩和または少なくとも軽減するＵＬ情報送信および受信のための新しい解決法が提供される。
【課題を解決するための手段】
【０００６】
本開示の第１の態様によれば、ＵＬ情報を送信する方法が提供される。前記方法は、第１のシーケンスを使用して基準信号を送信することと、第２のシーケンスを使用してＵＬ制御情報を送信することと、を備え、前記基準信号と前記ＵＬ制御情報とは、周波数領域で互い違いにずらして多重化される。
【０００７】
本開示の第２の態様では、ＵＬ情報を受信する方法が提供される。前記方法は、第１のシーケンスを使用して送信された基準信号を受信することと、第２のシーケンスを使用して送信された制御情報を受信することと、前記基準信号を使用して前記制御情報を復調することと、を備え、前記基準信号と前記ＵＬ制御情報とは、周波数領域で互い違いにずらして多重化される。
【０００８】
本開示の第３の態様では、ＵＬ情報を送信するための装置も提供される。前記装置は、第１のシーケンスを使用して基準信号を送信するように構成された基準信号送信部と、第２のシーケンスを用いてＵＬ制御情報を送信するように構成された制御情報送信部と、を備え、前記基準信号と前記ＵＬ制御情報とは、周波数領域で互い違いにずらして多重化される。
【０００９】
本開示の第４の態様では、ＵＬ情報を受信する装置が提供される。前記装置は、第１のシーケンスを使用して送信された基準信号を受信するように構成された基準信号受信部と、第２のシーケンスを使用して送信された制御情報を受信するように構成された制御情報受信部と、前記基準信号を使用して前記制御情報を復調するように構成された復調部と、を備え、前記基準信号と前記ＵＬ制御情報とは、周波数領域で互い違いにずらして多重化される。
【００１０】
本開示の第５の態様によれば、コンピュータプログラムコードが具現化され、提供されるコンピュータ可読記憶媒体であって、前記コンピュータプログラムコードは、実行されると、前記第１の態様のいずれかの実施形態に係る前記方法において、装置に動作を実行させるように構成される。
【００１１】
本開示の第６の態様によれば、コンピュータプログラムコードが具現化され、さらに提供されるコンピュータ可読記憶媒体であって、前記コンピュータプログラムコードは、実行されると、前記第２の態様のいずれかの実施形態に係る前記方法において、装置に動作を実行させるように構成される。
【００１２】
本開示の第７の態様によれば、前記第５の態様によるコンピュータ可読記憶媒体を備えるコンピュータプログラム製品が提供される。
【００１３】
本開示の第８の態様によれば、前記第６の態様によるコンピュータ可読記憶媒体を備えるコンピュータプログラム製品が提供される。
【００１４】
本開示の実施形態では、ＵＬ送信および受信のための新しい解決策を提供し、その中では、前記アップリンク情報は、減少したアップリンクシンボルのサブフレーム構成に適応するように、減少したアップリンクシンボルで送信することができ、したがって、前記送信待ち時間を大幅に減少することができる。
【図面の簡単な説明】
【００１５】
本開示の上記およびその他の特徴は、添付の図面を参照して実施形態に示される実施形態の詳細な説明を通してより明らかとなり、その全体を通じて、同じ参照番号は、同じまたは同様の構成要素を示す。
【００１６】
【図１】図１は、既存のサブフレーム構成内のＵＬシンボルを概略的に示す。
【００１７】
【図２】図２は、減少したＵＬシンボルを有する新たに提案されたサブフレーム構成における可能なＵＬシンボルの１つを概略的に示す。
【００１８】
【図３】図３は、既存の通信システムにおけるＰＵＣＣＨパターンを概略的に示す。
【００１９】
【図４】図４は、ＨＡＲＱ  ＡＣＫ／ＮＡＣＫのコンスタレーションマッピングを概略的に示す。
【００２０】
【図５】図５は、既存のＰＵＣＣＨフォーマット１ａ／１ｂにおけるＵＬ情報伝送を概略的に示す。
【００２１】
【図６】図６は、ＵＬシンボルの基本シーケンスを概略的に示す。
【００２２】
【図７】図７は、既存のＰＵＣＣＨフォーマット２ａ／２ｂにおけるＵＬ情報送信を概略的に示す。
【００２３】
【図８】図８は、本開示の一実施形態によるＵＬ情報を送信する方法のフローチャートを概略的に示す。
【００２４】
【図９】図９は、本開示の一実施形態によるＤＭＲＳおよびＰＵＣＣＨ情報送信の概略図を示す。
【００２５】
【図１０】図１０は、本開示の一実施形態による新しいＰＵＣＣＨ構造の例を概略的に示す。
【００２６】
【図１１】図１１は、本開示の一実施形態によるＤＭＲＳおよびＰＵＣＣＨ情報のために使用され得る別の基本シーケンスを概略的に示す。
【００２７】
【図１２】図１２は、本開示の別の実施形態による別の新しいＰＵＣＣＨ構造を概略的に示す。
【００２８】
【図１３】図１３は、本開示の更なる実施形態による更なる新しいＰＵＣＣＨ構造を概略的に示す。
【００２９】
【図１４Ａ】図１４Ａは、本開示の一実施形態によるＰＵＣＣＨおよびＤＭＲＳの多重化方式の例を概略的に示す。
【図１４Ｂ】図１４Ｂは、本開示の一実施形態によるＰＵＣＣＨおよびＤＭＲＳの多重化方式の例を概略的に示す。
【図１４Ｃ】図１４Ｃは、本開示の一実施形態によるＰＵＣＣＨおよびＤＭＲＳの多重化方式の例を概略的に示す。
【図１４Ｄ】図１４Ｄは、本開示の一実施形態によるＰＵＣＣＨおよびＤＭＲＳの多重化方式の例を概略的に示す。
【図１４Ｅ】図１４Ｅは、本開示の一実施形態によるＰＵＣＣＨおよびＤＭＲＳの多重化方式の例を概略的に示す。
【００３０】
【図１５Ａ】図１５Ａは、本開示の実施形態によるリソースマッピング方法の例を概略的に示す。
【図１５Ｂ】図１５Ｂは、本開示の実施形態によるリソースマッピング方法の例を概略的に示す。
【図１５Ｃ】図１５Ｃは、本開示の実施形態によるリソースマッピング方法の例を概略的に示す。
【図１５Ｄ】図１５Ｄは、本開示の実施形態によるリソースマッピング方法の例を概略的に示す。
【図１５Ｅ】図１５Ｅは、本開示の実施形態によるリソースマッピング方法の例を概略的に示す。
【図１５Ｆ】図１５Ｆは、本開示の実施形態によるリソースマッピング方法の例を概略的に示す。
【００３１】
【図１６Ａ】図１６Ａは、本開示の一実施形態によるＰＵＣＣＨおよびＤＭＲＳの多重化方式の例を概略的に示す。
【図１６Ｂ】図１６Ｂは、本開示の一実施形態によるＰＵＣＣＨおよびＤＭＲＳの多重化方式の例を概略的に示す。
【図１６Ｃ】図１６Ｃは、本開示の一実施形態によるＰＵＣＣＨおよびＤＭＲＳの多重化方式の例を概略的に示す。
【図１６Ｄ】図１６Ｄは、本開示の一実施形態によるＰＵＣＣＨおよびＤＭＲＳの多重化方式の例を概略的に示す。
【００３２】
【００３３】
【図１７Ａ】図１７Ａは、本開示の一実施形態によるリソースマッピング方法の例を概略的に示す。
【図１７Ｂ】図１７Ｂは、本開示の一実施形態によるリソースマッピング方法の例を概略的に示す。
【図１７Ｃ】図１７Ｃは、本開示の一実施形態によるリソースマッピング方法の例を概略的に示す。
【図１７Ｄ】図１７Ｄは、本開示の一実施形態によるリソースマッピング方法の例を概略的に示す。
【００３４】
【図１８Ａ】図１８Ａは、本開示の一実施形態による共通表現のためのリソースマッピング方法の例を概略的に示す。
【図１８Ｂ】図１８Ｂは、本開示の一実施形態による共通表現のためのリソースマッピング方法の例を概略的に示す。
【図１８Ｃ】図１８Ｃは、本開示の一実施形態による共通表現のためのリソースマッピング方法の例を概略的に示す。
【図１８Ｄ】図１８Ｄは、本開示の一実施形態による共通表現のためのリソースマッピング方法の例を概略的に示す。
【００３５】
【図１９】図１９は、本開示の別の実施形態によるＤＭＲＳおよびＰＵＣＣＨ情報送信のブロック図を概略的に示す。
【００３６】
【図２０】図２０は、本開示の別の実施形態による新しいＰＵＣＣＨ構造を概略的に示す。
【００３７】
【図２１】図２１は、本開示の一実施形態による変調シンボルとシーケンスグループとの間の対応関係を概略的に示す。
【００３８】
【図２２】図２２は、本開示の一実施形態によるコンスタレーションマッピングを概略的に示す。
【００３９】
【図２３】図２３は、本開示の一実施形態による巡回シフトグルーピングを概略的に示す。
【００４０】
【図２４】図２４は、本開示の一実施形態による、図２１に示された例示的な巡回シフトグルーピングの１つに対するＡＣＨ／ＮＡＣＫコンスタレーションマッピングを概略的に示す。
【００４１】
【図２５】図２５は、本開示の更なる実施形態による更なるＰＵＣＣＨ構造を概略的に示す。
【００４２】
【図２６Ａ】図２６Ａは、本開示の一実施形態によるＰＵＣＣＨ設計のための別のオプションを概略的に示す。
【図２６Ｂ】図２６Ｂは、本開示の一実施形態によるＰＵＣＣＨ設計のための別のオプションを概略的に示す。
【００４３】
【図２７Ａ】図２７Ａは、本開示の別の実施形態による別の可能なＵＬ領域設計を概略的に示す。
【図２７Ｂ】図２７Ｂは、本開示の別の実施形態による別の可能なＵＬ領域設計を概略的に示す。
【００４４】
【図２８Ａ】図２８Ａは、本開示の別の実施形態による別のＤＭＲＳウィンドウ設計を概略的に示す。
【図２８Ｂ】図２８Ｂは、本開示の別の実施形態による別のＤＭＲＳウィンドウ設計を概略的に示す。
【図２８Ｃ】図２８Ｃは、本開示の別の実施形態による別のＤＭＲＳウィンドウ設計を概略的に示す。
【００４５】
【図２９】図２９は、本開示の一実施形態によるＵＬ情報を受信する方法のフローチャートを概略的に示す。
【００４６】
【図３０】図３０は、本開示の一実施形態によるＵＬ情報を送信するための装置のブロック図を概略的に示す。
【００４７】
【図３１】図３１は、本開示の一実施形態によるＵＬ情報を受信するための装置のブロック図を概略的に示す。
【００４８】
【図３２】図３２は、さらに、ＵＥとして具体化されるかまたはＵＥに含まれ得る装置３３１０と、本明細書で説明される無線ネットワークの基地局として具現化されるかまたはそれに含まれ得る装置３３２０と、の簡略ブロック図を示す。
【発明を実施するための形態】
【００４９】
以下、添付図面を参照しながら、本開示の実施形態を詳細に説明する。これらの実施形態は、当業者が本開示をより良く理解し実施できるようにするためにのみ提示されており、本開示の範囲を限定することを意図するものではないことを理解されたい。
【００５０】
添付の図面では、本開示の様々な実施形態が、ブロック図、フローチャートおよび他の図に示されている。フローチャートまたはブロック内の各ブロックは、指定された論理機能を実行するための１つまたは複数の実行可能命令を含むモジュール、プログラム、またはコードの一部を表すことができ、本開示では、ディスペンス可能ブロックを点線で示す。さらに、これらのブロックは、本方法のステップを実行するための特定のシーケンスで示されているが、実際には、図示されたシーケンスに従って厳密に実行される必要はない。例えば、それらは、それぞれの操作の性質に依存する逆の順序または同時に実行されてもよい。フローチャートのブロック図および／または各ブロックおよびそれらの組み合わせは、特定の機能／動作を実行するための専用のハードウェアベースのシステムによって、または専用のハードウェアとコンピュータ命令の組み合わせによって実現されてもよいことにも留意されたい。
【００５１】
一般に、特許請求の範囲で使用される用語は、本明細書において明示的に定義されない限り、技術分野における通常の意味に従って解釈される。“ａ／ａｎ／ｔｈｅ／ｓａｉｄ「要素、デバイス、コンポーネント、手段、ステップ等」”への言及は、そうでないと明示的に宣言されていない限り、複数のそのようなデバイス、コンポーネント、手段、ユニット、ステップなどを排除することなく、少なくとも１つの要素、デバイス、コンポーネント、手段、ユニットステップ等のインスタンスへの言及としてオープンに解釈される。また、本明細書において用いられる不定冠詞“ａ／ａｎ”は、複数のそのようなステップ、ユニット、モジュール、デバイス、およびオブジェクトなどを排除するものではない。
【００５２】
加えて、本開示の文脈において、ユーザ機器（ＵＥ：User Equipment）は、端末、モバイル端末（ＭＴ：Mobile Terminal）、加入者局（ＳＳ：Subscriber Station）、携帯加入者局（ＰＳＳ：Portable Subscriber Station）、モバイル局（ＭＳ：Mobile Station）、又はアクセス端末（ＡＴ：Access Terminal）を参照することがあり、ＵＥ、端末、ＭＴ、ＳＳ、ＰＳＳ、ＭＳ、またはＡＴのいくつかの又は全ての機能が含まれ得る。更に、本開示の文脈において、用語“ＢＳ”は、例えばノードＢ（ＮｏｄｅＢ又はＮＢ）、エボルブドノードＢ（ｅＮｏｄｅＢ又はｅＮＢ）、ラジオヘッダ（ＲＨ：Radio Header）、リモートラジオヘッド（ＲＲＨ：Remote Radio Head）、リレー、またはフェムト、ピコなどの低電力ノード、などを表し得る。
【００５３】
上述したように、既存のサブフレームでは、スロット内の７つのシンボル全てをＵＬシンボルとして使用することができる。以下、既存の通信におけるＰＵＣＣＨのパターンについて、本開示をより良く理解するために、図３乃至図７を参照して説明する。
【００５４】
最初に、既存の通信システムにおけるＰＵＣＣＨパターンをより詳細に示す図３を参照する。図３には、ＵＬサブフレームｋおよびＵＬサブフレームｋ＋８が示されており、特に各サブフレームにおいて、ＰＵＣＣＨはシステム帯域幅のエッジで送信され、２つのスロットでホッピングされる。
【００５５】
既存の通信では、ＰＵＣＣＨのためのフォーマットは、フォーマット１ａ／１ｂと、フォーマット２ａ／２ｂと、を備え、フォーマット１ａ／１ｂは１ビットまたは２ビットのＡＣＫ／ＮＡＣＫを送信するために使用され、フォーマット２ａ／２ｂはアップリンクＣＱＩと１ビットまたは２ビットのＡＣＫ／ＮＡＣＫを送信するために使用される。通常、ＡＣＫ／ＮＡＣＫビットのようなＰＵＣＣＨビットは、コンスタレーションマッピングを通じてＡＣＫ／ＮＡＣＫシンボルに変調される。異なる変調技術のために、異なるコンスタレーションマッピングが使用される。図４は、ＨＡＲＱ  ＡＣＫ／ＮＡＣＫのための異なるコンスタレーションマッピングを概略的に示す。図４及び図５に示すように、ＢＰＳＫ(Binary Phase Shift Keying)の場合、ＡＣＫ＝１及びＤＴＸ／ＮＡＣＫ＝０は、それぞれ−１及び＋１にマッピングされ、ＱＰＳＫ(Quadrature Phase Shift Key )の場合、（ＡＣＫ／ＮＡＣＫ）＝１１、（ＡＣＫ／ＮＡＣＫ）＝００、（ＡＣＫ／ＮＡＣＫ）＝１０、（ＡＣＫ／ＮＡＣＫ）＝０１が、それぞれ＋１、−１、＋ｊ、−ｊにマッピングされる。
【００５６】
図５は、既存のＰＵＣＣＨフォーマット１ａ／１ｂにおけるＵＬ情報伝送を概略的に示す。図５に示すように、コンスタレーションマッピングを通じてＡＣＫ／ＮＡＣＫシンボルに変調された後、ＡＣＫ／ＮＡＣＫシンボルは、長さ１２の基本シーケンスと乗算される。基本シーケンスを図６に示す。基本シーケンスは、異なるサイクルシフトを使用することによってシフトされ、さらに、図５に示されるように、ＯＣＣシーケンスと乗算される。得られた信号は、シングルキャリア周波数分割多元接続（ＳＣ−ＦＤＭＡ）のシンボル＃０、＃１、＃５および＃６を形成するように、逆高速フーリエ変換（ＩＦＦＴ）を通じてさらに処理される。一方、異なるサイクルシフトを使用してシフトされた基本シーケンスは、ＯＣＣシーケンスと乗算され、得られた信号は、ＩＦＦＴによって処理され、それによってＤＭ−ＲＳシンボルを形成する。言い換えれば、ＤＭＲＳおよびＰＵＣＣＨの形成は、ＮＡＣＫシンボルのｄ０がＤＭ−ＲＳシンボルに乗算されないことを除いて、実質的に同様である。
【００５７】
図７は、既存のＰＵＣＣＨフォーマット２ａ／２ｂにおけるＰＵＣＣＨパターンを概略的に示す。図７のＰＵＣＣＨパターンは、ＯＣＣシーケンスが使用されない、ＱＰＳＫ変調後に符号化されたＣＳＩビット（１０ビット）がシリアルパラレル処理を通じて５つのデータｄ０からｄ５に変換される、及び、ＰＵＣＣＨシンボルとＤＭＲＳシンボルとが異なる位置を持つ、を除いて、図５に示されたものと同様である。
【００５８】
前述したように、減少したＵＬシンボルを使用する場合、既存のＰＵＣＣＨパターンを使用することができないので、本発明では新たなＰＵＣＣＨ設計及び新たなＵＬ制御情報の送受信ソリューションを提供し、それは、図８乃至図３２を参照して説明する。
【００５９】
図８は、本開示の一実施形態によるＵＬ情報を送信する方法のフローチャートを概略的に示す。図８に示すように、まず、ステップ８１０で、第１のシーケンスを使用して基準信号を送信し、ステップ８２０で第２のシーケンスを使用してＵＬ制御情報を送信し、特に基準信号とＵＬ制御情報とを周波数領域で互い違いにずらして多重化する。
【００６０】
本開示をよりよく理解するために、図９は、本開示の一実施形態によるＤＭＲＳおよびＰＵＣＣＨ情報送信の図をさらに示す。図９に示すように、ＤＭＲＳの場合、Ｎの長を有する基本シーケンス１は、まず、巡回シフトまたは位相回転のような変換を通じてＲ’１に変換され、次に、物理リソースにマッピングされる。同時に、ＰＵＣＣＨ情報ビットは、図４に示すようなコンスタレーションマッピングのいずれかを介して情報シンボルに最初にマッピングされる。次に、情報シンボルｄｉは、Ｍの長さを有する基本シーケンス２から、例えば巡回シフトされた系列Ｒ’２とさらに乗算される。その後、結果のＹは、物理リソースにマッピングされる。
【００６１】
ＰＵＣＣＨ情報はＤＭＲＳと共に送信される。リソースにマッピングするとき、基準信号およびＵＬ制御情報は、本開示の一実施形態による例示的な新しいＰＵＣＣＨ構成を示す図１０に示されるように、周波数領域で互い違いにずらして多重化される。図１０に示すように、ＰＵＣＣＨとＤＭＲＳは、例えば図６に示すように、長さが１２の同じ基本シーケンスを共有する。ＰＵＣＣＨシンボルｄ０を得るために、ＰＵＣＣＨ（例えば、ＡＣＫ／ＮＡＣＫ）ビット｛０，１｝がコンスタレーションマッピングの後に、最初にＰＵＣＣＨシンボルに変調される。コンスタレーションマッピングは、図４に示すものに従って実行されてもよい。ＰＵＣＣＨシンボルは、それから、ＤＭＲＳにも使用される基本シーケンス上で変調される。基本シーケンス上で変調されたＰＵＣＣＨシンボルＹｎは、以下のように表現できる。
Ｙｎ＝ｄ０・Ｒｎ，  ｎ＝０，１，．．．，１１
【００６２】
ここで、Ｙｎは変調後の結果のシンボルを示し、ｄ０はコンスタレーションマッピング後のＰＵＣＣＨシンボルを示し、Ｒｎは基本シーケンスを示す。従って、ＰＵＣＣＨの場合、リソースエレメントの総数は２４である。
【００６３】
図１１は、本開示の一実施形態によるＤＭＲＳおよびＰＵＣＣＨ情報のために使用され得る別の基本シーケンスを概略的に示す。直交シーケンスＲｎ（ｉ）は、ＯＣＣ／ＤＦＴシーケンスに基づくことができ、それは、６の長さを有し、０から５の範囲のインデックスを有する６つの直交シーケンスが存在する。従って、ＤＭＲＳとＰＵＣＣＨとのシーケンスは、図６または図１１に示されたものに限定されないことは明らかであり、実際には、周波数の直交性が保証される限り、任意の適切なシーケンスを使用することができる。
【００６４】
図１２は、本開示の別の実施形態による別の新しいＰＵＣＣＨ構造を示し、図１１に示されるような基本シーケンスとともに使用される。図１２に示すように、ＰＵＣＣＨとＤＭＲＳも同じ基本シーケンスを共有しているが、例えば図１１に示すように、基本シーケンスの長さは６である。同様に、ＰＵＣＣＨシンボルｄ０を得るために、ＰＵＣＣＨ（例えばＡＣＫ／ＮＡＣＫ）ビット｛０，１｝がコンスタレーションマッピングの後にＰＵＣＣＨシンボルに最初に変調される。コンスタレーションマッピングは、図４に示すものに従って実行することもできる。ＰＵＣＣＨシンボルは、それから、長さ６の基本シーケンス上で変調される。基本シーケンス上で変調されたＰＵＣＣＨシンボルＹｎは、以下のように表現できる。
Ｙｎ＝ｄ０・Ｒｎ（ｉ），  ｉ＝０，１，．．．，５
ここで、Ｙｎは変調後の結果のシンボルを示し、ｄ０はコンスタレーションマッピング後のＰＵＣＣＨシンボルを示し、図１１に示すように、Ｒｎ（ｉ）はインデックスがｉのシーケンスを示す。
【００６５】
ＰＵＣＣＨシンボルは、図１２に示すように、ＤＭＲＳとともに送信され、周波数領域で互い違いにずらして多重化される。従って、そのようなＰＵＣＣＨの場合、リソースエレメントの総数は１２である。
【００６６】
本開示のさらなる実施形態では、ＤＭＲＳは、例えば図６に示す長さが１２の基本シーケンスを使用する。一方で、ＰＵＣＣＨは、例えば図１１に示すような異なるシーケンスを使用する。図１３は、本開示のさらなる実施形態によるさらなる新しいＰＵＣＣＨ構成を概略的に示し、それは、異なる長さのシーケンスが使用される本実施形態で使用することができる。このような場合、基本シーケンス上で変調されたＰＵＣＣＨシンボルＹｎは、以下のように表現できる。
Ｙｎ＝ｄ０・Ｓ（ｉ），  ｉ＝０，１，．．．，５
ここで、Ｙｎは変調後の結果のシンボルを示し、ｄ０はコンスタレーションマッピング後のＰＵＣＣＨシンボルを示し、図１１に示すように、Ｓ（ｉ）はＰＵＣＣＨのインデックスがｉの基本シーケンスを示す。このようなＰＵＣＣＨの場合、２つのＰＵＣＣＨシンボルがＤＭＲＳと共に送信され、それによって互い違いにずらして多重化され、リソースエレメントの総数は２４である。
【００６７】
従って、図９では、図に示された２つの基本シーケンスＲ１およびＲ２は、同じシーケンスであってもよい。例えば、ＰＵＣＣＨは、図６および図１１に示すように、ＤＭＲＳのための基本シーケンスを使用することができる。また、基本シーケンスＲ１と基本シーケンスＲ２とは、基本シーケンスを共有することができる。別の選択肢として、２つの基本シーケンスは異なるものであってもよい。例えば、基本シーケンスＲ２は、基本シーケンスＲ１の異なるルートシーケンスであってもよい。また、２つの基本シーケンスＲ１およびＲ２は、同じ長さ、すなわちＭ＝Ｎを有することができ、または、異なる長さ、すなわちＭ≠Ｎを有することもできる。ＤＭＲＳのためのシーケンスＲ’１（第１のシーケンス）は、基本シーケンスＲ１と同じである、または、シーケンスＲ’１は、巡回シフトまたは位相回転を通じて基本シーケンスＲ１から変換することができる。ＰＵＣＣＨシンボルを変調するためのシーケンスＲ’２（第２のシーケンス）は、基本シーケンスＲ２と同じである、または、シーケンスＲ’１は、巡回シフトまたは位相回転を通じて基本シーケンスＲ１から変換することができる。
【００６８】
本開示の実施形態では、ＰＵＣＣＨおよびＲＳは、多くの異なる方法でずらして多重化され得る。説明のために、図１４Ａ乃至１４Ｅは、周波数領域におけるいくつかの例示的な多重化方式を示す。図１４Ａに示すように、ＲＳ及びＰＵＣＣＨは、ＲＥ毎に互い違いにずらして多重化することができ、すなわち１つのＲＳは１つのＰＵＣＣＨに対してである。図１４Ｂにおいて、ＲＳおよびＰＵＣＣＨは、ｋ個のＲＥ毎に互い違いにずらして多重化することができ、すなわち、１つのＲＳはｋ個のＰＵＣＣＨに対してであり、ｃｉおよびｄｍは同じＵＥまたは異なるＵＥから来ることができる変調シンボルである。図１４Ｃは、図１４Ｂの場合と同様の多重化方法の別の例を示すが、図１４Ｃでは、ＰＵＣＣＨは周波数において連続的ではなくＤＭＲＳによって分離されている。図１４Ｄはさらに、さらなる例示的な多重化方法を示し、その中では、ＲＳおよびＰＵＣＣＨは異なる長さのシーケンスを使用し、１つのＰＵＣＣＨが１つのＲＳを使用する。図１４Ｅは、本開示のさらなる実施形態による、さらなる例示的な多重化方式を示す。図１４Ｅでは、ＰＵＣＣＨはＤＭＲＳによって分離されておらず、周波数において連続的であり、それは、ＤＭＲＳも周波数において連続的であることを意味する。
【００６９】
以下では、説明のために、１つのＵＬシンボル送信の共通の表現を示し、そこでは、ｄｍｎ（ｍ＞＝０、ｎ＞＝０）は情報ビットの変調シンボルを示す。与えられたｍまたはｎに対して、シンボルは同じであることができ、言い換えれば以下となる。
ｄｍｉ＝ｄｍｊ  、または、ｄｉｎ＝ｄｊｎ
さらに、シンボルは、例えば、異なる位相回転を有することができる。
ｄｍｉ＝ｅｊｋθ＊ｄｍｊ  、または、ｄｉｎ＝ｅｊｋθ＊ｄｊｎ
シンボルは異なる順序を持つことができる。例えば、以下に示すように、１つは昇順を有し、もう１つは降順を有する。
ｄ００＝ｄ１ｎ，  ｄ０１＝ｄ１ｎ−１，  ．．．ｄ０ｎ＝ｄ１０
また、シンボルは完全に異なっていてもよい。
【００７０】
ＲＳシーケンスＲｍｎ（ｍ＞＝０、ｎ＞＝０）の場合、シーケンスはまた、与えられたｍまたはｎについて同じである。本開示の別の実施形態では、ＲＳシーケンスＲｍｎは、与えられたｍまたはｎについて異なることができる。さらに、シンボルは、同じ基本シーケンスに基づいてもよく、異なる位相回転値またはサイクルシフト値を有してもよい。
【００７１】
図１５Ａ乃至図１５Ｆは、本開示の実施形態による例示的なリソースマッピング方法を概略的に示す。図１５Ａに示すように、シーケンスに基づくＤＭＲＳシーケンスおよび変調されたＰＵＣＣＨの両方が、例えば、順番にマッピングされる。変調されたＰＵＣＣＨシンボルは、ｄ００，ｄ０１．．．ｄ０ｎ，ｄ１０，ｄ１１，．．．ｄ１ｎ，．．．ｄｍ０，ｄｍ１，．．．ｄｍｎの順にマッピングされ、ＤＭＲＳシーケンスはＲ００，Ｒ０１．．．Ｒ０ｎ，Ｒ１０，Ｒ１１，．．．Ｒ１ｎ，．．．ｄｍ０，ｄｍ１，．．．ｄｍｎの順番にマッピングされる。一方、図１５Ｂでは、シーケンスに基づくＤＭＲＳシーケンスおよび変調されたＰＵＣＣＨは、帯域のエッジからマッピングされる。
【００７２】
本開示の実施形態では、ＤＭＲＳを伴うＰＵＣＣＨは、予め定義されたＲＢ内に所定の順序で物理リソースブロック（ＰＲＢ）上に配置することができる。例えば、図１５Ｃに示すように、異なるＰＵＣＣＨシンボルを異なるＰＲＢに配置することができる。図１５Ｄに示すように、周波数ダイバーシティのために、システム帯域の両方のエッジにＰＵＣＣＨシンボルをマッピングすることができる。図１５Ｄにおいて、ＤＭＲＳ  Ｒ０およびＰＵＣＣＨ  ｄ０＊Ｒ’１は、システム帯域の第１のエッジにマッピングされる。ＤＭＲＳ  Ｒ１およびＰＵＣＣＨ  ｄ１＊Ｒ’１は、システム帯域の第２のエッジにマッピングされ、ＤＭＲＳ  Ｒ２およびＰＵＣＣＨ  ｄ２＊Ｒ’２は、残りのシステム帯域の第１のエッジにマッピングされ、ＤＭＲＳ  Ｒ３およびＰＵＣＣＨ  ｄ３＊Ｒ’３は、残りのシステムの第２のエッジにマッピングされ、以下同様である。
【００７３】
本開示の別の実施形態では、ＰＵＣＣＨとＤＭＲＳとの複製をＰＲＢ上に配置することができる。例えば、図１５Ｅに示すように、ＤＭＲＳ  Ｒ００，Ｒ１０，乃至Ｒｍ０およびＰＵＣＣＨ  ｄ０＊Ｒ’００，ｄ１＊Ｒ’１０乃至ｄｍ＊Ｒ’ｍ０が最初にシステム帯域の第１のエッジ上にマッピングされ、ＤＭＲＳ  Ｒ０１，Ｒ１１乃至Ｒｍ１およびＰＵＣＣＨ  ｄ０＊Ｒ’０１，ｄ１＊Ｒ’１１乃至ｄｍ＊Ｒ’ｍ１がそれからシステム帯域の第２の反対側のエッジからマッピングされ、以下同様である。さらに、図１５Ｆは、別のリソースマッピング方式も示し、ＤＭＲＳ  Ｒ００，Ｒ１０乃至Ｒｍ０およびＰＵＣＣＨ  ｄ０＊Ｒ’００，ｄ１＊Ｒ’１０乃至ｄｍ＊Ｒ’ｍ０が図１５Ｅと同様に、システム帯域の第１のエッジ上から最初にマッピングされ、ＤＭＲＳ  Ｒｍ１，Ｒｍ−１１乃至Ｒ０１およびＰＵＣＣＨ  ｄ０＊Ｒ’０１，ｄ１＊Ｒ’ｍ−１乃至ｄｍ＊Ｒ’０１がそれからシステム帯域の第２の反対側のエッジから、図１５Ｅとは異なる順序でマッピングされ、以下同様である。さらに、異なるＰＲＢＳにおけるＰＵＣＣＨの複製は、図１５Ａまたは図１５Ｂに示すように、ＰＲＢ上に配置することもできる。
【００７４】
マッピング順序（例えば、ホッピング）は、異なるシンボル／サブフレーム／ＰＲＢにおいて予め定義された順序で変更可能であることにも留意されたい。
【００７５】
以上、本開示は主に１つのＵＬシンボルデサインを参照して説明される。実際には、Ｌ個のＵＬシンボルのフレームデザインで使用することもできる。これは、サブフレームが、減少したＵＬシンボルを有することができるが、ＵＬシンボルの数は１より大きいことを意味する。
【００７６】
Ｌ個のＵＬシンボルのそれぞれについて、ＰＵＣＣＨおよびＤＭＲＳは、例えば図１６Ａに示すように、同じ方法で互い違いにずらして多重化することができる。あるいは、図１６Ｂに示すように、２つのシンボルにホッピングがあってもよい。さらに、Ｌ個のシンボル内のＭ（１＝＜Ｍ＜＝Ｌ）個のシンボルに対して、ＰＵＣＣＨおよびＲＳのシーケンスは、周波数が１つ以上ＲＥ毎に互い違いにずらして多重化されることができ、図１６Ｃに示すように、他の（Ｌ−Ｋ）シンボルをＰＵＣＣＨのために使用することができる。
【００７７】
本開示の別の実施形態では、ＰＵＣＣＨおよびＲＳのシーケンスは、時間的に互い違いにずらして多重化することができる。言い換えると、Ｍ（１＜＝Ｍ＜＝Ｌ）個のシンボルは、ＲＳに使用することができ（連続していても、互い違いにずらしてもよい）、他は、図１６Ｄに示すようにＰＵＣＣＨに使用することができる。
【００７８】
図１７Ａおよび図１７Ｂは、シーケンス内のＰＵＣＣＨおよびＲＳのマッピングを示し、図１７Ｃおよび１７Ｄは、システム帯域のエッジからのＰＵＣＣＨおよびＤＭＲＳのマッピングを示す。図１７Ａおよび図１７Ｂから、Ｌ個のＵＬシンボルの場合、ＰＵＣＣＨおよびＤＭＲＳは時間的に多重化され、所定の順序でＰＲＢ上に配置されることが分かる。例えば、ＤＭＲＳを有するＰＵＣＣＨは、図１７Ａに示すように順番にマッピングすることができ、または、図１７Ｃに示すようにシステム帯域の両エッジからマッピングすることができる。さらに、ＤＭＲＳを有するＰＵＣＣＨの重複をＰＲＢに配置することもできる。別の代替案として、ＰＵＣＣＨおよびＤＭＲＳは、図１７Ｂおよび図１７Ｄに示すようにシンボル内でホッピングすることができる。加えて、説明の目的のためにのみ、図１８Ａ乃至図１８Ｄは、シーケンス内のＰＵＣＣＨおよびＤＭＲＳのマッピングを示し、共通の表現のためのシステム帯域のエッジからのマッピングを示す。
【００７９】
図１９は、本開示の別の実施形態によるＤＭＲＳおよびＰＵＣＣＨ情報送信のブロック図を概略的に示す。本開示の実施形態では、ＰＵＣＣＨ情報シンボルは、第２のシーケンスに基づいて変調されず、送信されるべき第１のシーケンスと第２のシーケンスとの間の関係によって示される。図１９に示すように、ＤＭＲＳの場合、Ｎ長の基本シーケンス１は、先ず、巡回シフトまたは位相回転のような変換を通じてＲ’１に変換され、それから、物理リソースにマッピングされる。同時に、ＰＵＣＣＨ情報ビットは、図４に示すようなコンスタレーションマッピングのいずれかを通じて情報シンボルに最初にマッピングされる。シーケンスＲ’２は、Ｍ長の基本シーケンス２から変換され、例えば、基本シーケンス２から巡回シフトまたは位相回転される。次に、結果のシーケンスＲ’２は、物理リソースにマッピングされる。この解法では、情報シンボルｄｉは、図９と同様のシーケンスＲ’２にさらに乗算されない。代わりに、情報シンボルｄｉは、シーケンスＲ’１とシーケンスＲ’２との間の関係によって暗黙的に示される。次に、Ｒ’２は、ＤＭＲＳシーケンスＲ’１と共に送信される。
【００８０】
図２０は、本開示の一実施形態による新しいＰＵＣＣＨ構成を概略的に示し、情報シンボルｄｉは、シーケンスＲ’１とシーケンスＲ’２との間の関係により暗黙的に示され、基準信号とＡＣＫ／ＮＡＣＫのようなＵＬ制御情報とは、周波数領域で互い違いにずらして多重化される。
【００８１】
図２０に示すように、本開示のこの実施形態では、基本シーケンス１および２は、同じ長さＮを有する。２つのシーケンスＲ１およびＲ２は、同じベースシーケンスから、異なるものであっても、または変換されても、巡回シフトされても、位相回転されてもよい。基本シーケンス１および２は、例えば、図６に示すような基本シーケンスであってもよい。しかしながら、他の基本シーケンスも可能であることを理解されたい。ＰＵＣＣＨ（例えば、ＡＣＫ／ＮＡＣＫ）ビット｛０，１｝は、コンスタレーションマッピングの後に、例えばＢＰＳＫ｛＋１、−１｝のように、最初にＰＵＣＣＨシンボルに変調される。次に、変調されたシンボルは、シーケンスＲ’１とＲ’２との関係によって暗黙的に示される。この関係は、例えば、以下のように表すことができる巡回シフトに反映されてもよい。
Ｒ’ｎ＝ｅｊαｎＲｎ，０≦ｎ≦１１      α＝２πｋ／１２，０≦ｋ≦１１
シーケンスＲ’１およびＲ’２の場合、それらは異なるサイクルシフトを使用することができ、これは以下の式で表すことができる。
ｅｊ２πｋ１/１２Ｒｎ’  ｅｊ２πｋ１/１２Ｒｎ
ここにおいて、ｋ１およびｋ２はＲｎのＣＳ指数である。ｋ１−ｋ２＝６の場合、情報シンボルは＋１であることを示し、ｋ１−ｋ２＝−６の場合、情報シンボルは−１であることを示す。このようにして、ＰＵＣＣＨ情報シンボルは、シーケンスＲ’１とＲ’２との間の関係によって暗黙的に示すことができる。そのような場合、送信するＰＵＣＣＨを暗示するためのＲＥの総数は、２４（２Ｎ）である。
【００８２】
ＰＵＣＣＨマッピングおよび多重化は、図９に示すような実施形態と同様であり、したがって詳細については、図１０乃至図１８を参照することができる。
【００８３】
図２１から図２２は、本開示のさらなる実施形態による、ＤＭＲＳおよびＰＵＣＣＨ情報送信のさらなる可能な解決策をさらに示し、シーケンスはｋ個の異なるグループに分割され、変調されたＰＵＣＣＨシンボルは、予め定義されたグループによって示される。
【００８４】
ＰＵＣＣＨ情報ビットは、コンスタレーションマッピングの後に得られるｄｉによって示される。変調次数がＭであれば、それは完全に２Ｍ個のシンボルになる。使用できるＱシーケンスがある。このＱシーケンスは、Ｋ個のグループ（Ｋ＝Ｑ／Ｍ）にグループ化され、各グループｋｊは、図２１に示されるように、１つの変調シンボルに対応する。従って、異なる変調シンボルに対して異なるシーケンスグループが使用される。
【００８５】
図２２は、本開示の一実施形態による、ＱＰＳＫのコンスタレーションマッピングをさらに概略的に示す。図２２に示すように、４つのシーケンスグループｋ１乃至ｋ４は、４つのＮＡＣＫ／ＡＣＫシンボルにマッピングされる。
【００８６】
Ｑシーケンスは、異なる基本シーケンス、１つまたは複数の基本シーケンスの異なる巡回シフト、または、１つまたは複数の基本シーケンスの異なる変換、例えば位相回転（Ｒ１＝ｅｊθ＊Ｒ２）を通じたものでよい。これらのシーケンスは、周波数または時間領域でずらすか、または連続的にマッピングすることができる。暗黙的にＰＵＣＣＨ情報を送信するためのＲＥの総数は、Ｎ個である。
【００８７】
図２３乃至図２４は、本開示の一実施形態による巡回シフトグルーピングの特定の実施形態を示す。図２３には、２つの異なる巡回シフトグループが示される。図２３に示すように、１２個の巡回シフトは、異なるパターンによって示された４つのグループに分割される。１２個の巡回シフトは、以下のように表すことができる。
Ｒ’ｎ＝ｅｊαｎＲｎ，０≦ｎ≦１１      α＝２πｋ／１２，０≦ｋ≦１１
【００８８】
１つの可能なグループ化では、巡回シフト０乃至２が第１グループに、巡回シフト３乃至５が第２グループに、巡回シフト６乃至８が第３グループに、巡回シフト９乃至１１が第４のグループに分けられる。図２４は、本開示の一実施形態による図２１に例示されるような巡回シフトグルーピングに対応するＡＣＫ／ＮＡＣＫコンスタレーションマッピングを概略的に示す。図２４に示すように、４つの巡回シフトグループは、それぞれＱＰＳＫ｛＋１、−１、＋ｊ、−ｊ｝にマッピングされる。
【００８９】
さらに、図２３は、巡回シフト０、４、８が第１のグループに分割され、巡回シフト１、５、９が第２のグループに分割され、巡回シフト２、６、１０が第３のグループに分割され、巡回シフト３、７乃至１１が第４のグループに分割される他の可能なグループ化を示す。可能なグループ化の例に加えて、巡回シフトは他の適切な方法で分割することができることを理解されたい。このようにして、異なる巡回シフトグループを使用して、異なるＰＵＣＣＨシンボルを示すことができる。さらに、異なるＵＥは、自身のＰＵＣＣＨシンボルを示すために巡回シフトグループ内の異なる巡回シフトを使用してもよい。基本シーケンスが１２である場合、暗黙的にＰＵＣＣＨを送信するためのＲＥの総数は１２個である。
【００９０】
図２５は、本開示の一実施形態による新しいＰＵＣＣＨ構成を概略的に示す。図示されるように、ＰＵＣＣＨ情報シンボルは、位相回転（ＰＲ）または巡回シフト（ＣＳ）のような所定の変換を伴うＲ’ｎによって暗黙的に示される。Ｒ’ｎは、物理リソースにマッピングされ、ＵＬシンボルで送信される。
【００９１】
ＰＵＣＣＨ情報はＬ個のシンボル（Ｌ＞＝１）にマッピングすることができ、ここで、Ｌは予め定義された値であることができることを理解されたい。Ｌは、ｅＮＢなどの基地局によって動的または半静的に通知することができ、そのような場合、動的制御領域またはＲＲＣメッセージ内にビットを提供することができる。さらに、ＰＵＣＣＨリソースインデックスは、ｅＮＢによって予め定義されるか、または、動的にまたは半静的に通知されることもできる。シーケンスおよび／またはマッピング順序は、ＰＲＢまたはシンボルにおいて異なるものであってもよいし、または同じであってもよいことに留意されたい。ＯＣＣ、位相回転などは、ＰＲＢまたはシンボルで使用することができる。
【００９２】
さらに、ＰＵＣＣＨのサブキャリア間隔は、他のシンボルと異なることができる。新しい変調を使用することもできる。１つまたは複数のシンボルで低いＰＡＰＲを維持するために、例えば８ＰＳＫのような一定の係数を使用することができる。さらに、ＰＵＣＣＨのシーケンス長は、異なるペイロードに適合させることができる。
本開示の一実施形態では、ＰＵＣＣＨはグループに分類され、いくつかはＺＣ／ＰＮシーケンスで変調されるか、または巡回シフトで表され、他は異なるシーケンスで表現されるか、または、図２６Ａおよび２６Ｂに示すように、シーケンス上で変調されない。通常、重要なＰＵＣＣＨ情報は、正確な結果を得るために、ＤＭＲＳシーケンスで変調される。例えば、ＡＣＫ／ＮＡＣＫはＣＳＩよりも重要であり、従って、それは、ＺＣ／ＰＮシーケンス上で変調されてもよいし、または巡回シフトで表現されてもよい。対照的に、ＣＳＩはあまり重要ではないので、ＣＳＩは、ＺＣ／ＰＮシーケンスで変調されない。ＡＣＫ／ＮＡＣＫのためのＺＣ／ＰＮシーケンスは、ＣＳＩのための復調ＲＳとして使用することができ、それは、利用可能な基準信号なしでいくつかのＰＵＣＣＨの追加の利点を得ることができる。場合によっては、ＵＬ制御情報と基準信号とが異なる時間間隔で送信されてもよく、別の場合、すべてのＵＬ制御情報が基準信号と共に送信されなくてもよい。しかしながら、２つの場合のいずれにおいても、利用可能な基準信号を伴わないＰＵＣＣＨが存在する可能性がある。そのような場合、以前の基準信号、例えばそれに最も近い基準信号を使用することが可能である。代替的な選択肢として、受信されたシーケンスそれ自体は、他のＰＵＣＣＨのためのＲＳとして使用され得るチャネル情報を運ぶので、前の制御情報のためのシーケンスを使用することもできる。本開示の特定の実施形態では、利用可能な基準信号を伴わないＵＬ制御情報のための基準信号を、利用可能な基準信号なしで、以前の基準信号および以前の制御情報からＵＬ制御情報までの時間間隔に依存して決定することができる。すなわち、ＰＵＣＣＨが、以前のＲＳからよりも、以前のＰＵＣＣＨから方がより短い時間間隔を有する場合、以前のＰＵＣＣＨのためのシーケンスをＰＵＣＣＨの基準信号として使用することができる。これにより、精度の高いＰＵＣＣＨ情報を得ることができる。この解決策は、より高い精度を達成するために、上述したようなＰＵＣＣＨ送信ソリューションのいずれかと共に使用することができる。
【００９３】
図２７Ａは、本開示の実施形態による１つの可能なＵＬ領域設計を示す。ＵＬのためのＮ個のシンボルと、ＵＬ制御のためのＭ個のシンボル（ＰＵＣＣＨ）と、ＤＭＲＳのためのＬ個のシンボル（Ｌ＞＝０）とがあると仮定する。本開示の一実施形態では、１つまたは複数のシンボル／ＰＲＢを、ＺＣ／ＰＮシーケンスで変調することができ、またはＺＣ／ＰＮシーケンスの巡回シフトで変調することができる。図２７Ａに示すように、Ｍ個のシンボルＰＵＣＣＨの場合、Ｋ個のシンボルは、ＺＣ／ＰＮシーケンス上で変調されるか、または、ＺＣ／ＰＮシーケンス（Ｋ＞＝０）の巡回シフトで変調される。他のＭ−Ｋシンボルは、任意の種類の制御情報であってもよい。図２７Ｂはまた、本開示の実施形態による別の可能なＵＬ領域設計を示し、ＤＭＲＳのための１つのシンボルと、変調されたＰＵＣＣＨのための１つのシンボルとが存在する。ＤＭＲＳおよび／またはＰＵＣＣＨシンボルは、連続的または互い違いにすることができる。ＤＭＲＳ、ＰＵＣＣＨおよびデータの位置は、図２７Ａおよび図２７Ｂに示したものとは異なることがあることに留意されたい。
【００９４】
さらに、本開示の実施形態では、図２８Ａ乃至図２８Ｃに示されるように、復調のためのウィンドウ時間内に１つまたは複数のＤＭＲＳを提供することができる。本開示の一実施形態では、ウィンドウ時間において、図２８Ａに示されるような複数のサブフレーム、または、図２８Ｂに示されるような複数のシンボルが存在し得る、または図２８Ｃに示されるような以前の解決策との合成でもよい。ウィンドウ時間値は、予め定義されても、または動的に／半静的に通知されてもよい。
【００９５】
以上、ＵＬ情報送信の解決方法について主に説明した。本開示では、図２９を参照して説明するＵＬ情報を受信する方法も提供される。
【００９６】
図２９に示すように、方法２９００は、第１のシーケンスを使用して送信された基準信号を最初に受信するステップ２９１０から開始することができる。基準信号の第１のシーケンスは、図６に示すような基本シーケンスを有することができ、図１１に示すシーケンスのうちの１つであってもよく、または周波数領域の直交性を有する他のシーケンスであってもよい。第１の基準信号は、基本シーケンスから巡回シフト、位相回転または任意の他の変換によって変換されたシーケンスであってもよい。さらに、基準信号は、例えばＤＭＲＳ信号または他の基準信号であってもよい。
【００９７】
ステップ２９２０において、第２のシーケンスを使用して送信された制御情報を受信する。同様に、制御情報の第２のシーケンスは、図６に示すような基本シーケンスを有することができ、図１１のシーケンスのうちの１つであってもよく、または周波数領域の直交性を有する他のシーケンスであってもよい。第２の基準信号は、基本シーケンスから巡回シフト、位相回転または他の変換によって変換されたシーケンスであってもよい。第１のシーケンスおよび第２のシーケンスは同一であってもよく、または同じ基本シーケンスを共有してもよい。あるいは、第１のシーケンスおよび第２のシーケンスは、同じまたは異なる長さを有する異なる基本シーケンスを有する。例えば、第１のシーケンスは、図６に示すような基本シーケンスを有することができ、一方、第２のシーケンスは、図１１に示すようなシーケンスのうちの１つであり得る。制御情報は、ＮＡＣＫ／ＡＣＫ、ＣＱＩ、ＰＭＩ、ＲＩなどのＰＵＣＣＨ情報であってもよい。
【００９８】
次に、ステップＳ２９３０では、基準信号を使用して制御情報を復調する。特に、基準信号とＵＬ制御情報とは、周波数領域で互い違いにずらして多重化される。本開示の一実施形態では、制御情報を復調することは、第２のシーケンスとともにチャネル情報を使用してＵＬ制御情報を取得することをさらに備え、チャネル情報は、第１のシーケンスを使用することによって基準信号から取得される。すなわち、まず、第１のシーケンスに基づいて基準信号からチャネル情報を取得し、その後、チャネル情報と第２のシーケンスに基づいて受信した制御情報を復調することにより制御情報ビットを取得することができる。
【００９９】
本開示の別の実施形態では、制御情報を復調することは、チャネル情報を使用して第２のシーケンスを取得することを備え、チャネル情報は、第１のシーケンスを使用して基準信号から得られ、第１のシーケンスと第２のシーケンスとの間の関係に基づいて制御情報を取得することを、備える。このような場合、基準信号に基づいてチャネル情報を取得した後、チャネル情報に基づいて第２のシーケンスをさらに取得し、それから、第１のシーケンスと第２のシーケンスとの関係であって制御情報を暗黙的に示す関係をさらに決定する。従って、この実施形態では、情報ビットは暗黙的に送信される。言い換えれば、情報ビット自体は、第２のシーケンスとは多重化されず、第１のシーケンスと第２のシーケンスとによって暗黙的に示される。
【０１００】
本開示の実施形態では、基準信号およびＵＬ制御情報は、多くの異なる方法で互い違いにずらして多重化される。例えば、基準信号とＵＬ制御情報は、１つのＵＬ制御情報に対して１つの基準信号を用いて１リソースエレメント毎に互い違いにずらして多重化することができる。他の選択肢として、基準信号とＵＬ制御情報は、２つ以上のリソースエレメント毎に、ＵＬ制御情報の２つ以上の部分によって共有される１つの基準信号を用いて互い違いにずらして多重化することができる。
【０１０１】
本開示の実施形態では、ＵＬ制御情報および基準信号は、任意の適切な方法でマッピングされる。例えば、ＵＬ制御情報および基準信号は、システム帯域幅の両エッジにマッピングすることができる。それに加えて、またはこれに代えて、ＵＬ制御情報および基準信号は、２つのシンボルにおいてホッピングすることができる。
【０１０２】
ＵＬ制御情報および基準信号が異なる時間間隔で送信されるか、またはすべてのＵＬ制御情報が基準信号と共に送信されない実施形態では、以前の基準信号および以前の制御情報のシーケンスのうちの１つは、利用可能な基準信号なしでＵＬ制御情報を復調するための基準信号として使用される。そのような場合、本方法は、利用可能な基準信号なしで、前の基準信号および前の制御情報からＵＬ制御情報までの時間間隔に依存する利用可能な基準信号なしに、ＵＬ制御情報の基準信号を決定することをさらに備えることができる。
【０１０３】
ＰＵＣＣＨ設計、第１のシーケンス、第２のシーケンス、互い違いの多重化、リソースマッピングなどについてのいくつかの詳細は、既に図８乃至図２８を参照して詳細に説明されているので、これらの詳細はここでは詳述しない。簡略化目的のためおよびそれらの詳細については、図８乃至図２８を参照して説明を参照されたい。
【０１０４】
本開示の実施形態では、アップリンク情報は、減少したアップリンクシンボルで送信されて、アップリンクシンボルが減少したサブフレーム構成に適応することができるＵＬ送信および受信のための新しい解決を提供し、従って、送信待ち時間を大幅に削減することができる。
【０１０５】
図３０は、本開示の一実施形態によるＵＬ情報を送信するための装置のブロック図を概略的に示す。図３０に示すように、装置３０００は、基準信号送信部３０１０と、制御情報送信部３０２０と、を備える。基準信号送信部３０１０は、第１のシーケンスを使用して基準信号を送信するように構成することができる。制御情報送信部３０２０は、第２のシーケンスを使用してＵＬ制御情報を送信するように構成することができる。特に、基準信号とＵＬ制御情報とは、周波数領域で互い違いにずらして多重化される。
【０１０６】
本開示の一実施形態では、ＵＬ制御情報は、第２のシーケンスに基づいて変調され、ＵＬ制御情報のビットが暗黙的に送信されることを意味する。本開示の別の実施形態では、第１のシーケンスおよび第２のシーケンスは、ＵＬ制御情報を暗黙的に示すために使用される予め決定された関係を有することができる。
【０１０７】
本開示の実施形態において、第１のシーケンスと第２のシーケンスとは、同一または同じ基本シーケンスを共有する。あるいは、第１のシーケンスと第２のシーケンスとは、異なる基本シーケンスを有することができる。
【０１０８】
本開示の実施形態では、基準信号およびＵＬ制御情報は、任意の適切な方法で互い違いにずらして多重化することができる。例えば、１つのＵＬ制御情報に対して１つの基準信号を使用して基準信号とＵＬ制御情報とを１リソースエレメント毎に互い違いにずらして多重化してもよいし、または、基準信号とＵＬ制御情報とは、ＵＬ制御情報の１つよりも多い部分によって共有された１つの基準信号を使用して、１つよりも多くのリソースエレメント毎に互い違いにずらして多重化することができる。
【０１０９】
本開示の実施形態では、基準信号およびＵＬ制御情報は、任意の適切な方法でマッピングすることができる。本開示の一実施形態では、ＵＬ制御情報および基準信号は、システム帯域幅の両端にマッピングされる。本開示の別の実施形態では、ＵＬ制御情報および基準信号は、２つのシンボルでホッピングする。
【０１１０】
本開示の一実施形態では、ＵＬ制御情報および基準信号は、異なる時間周期で送信することができる。本開示の別の実施形態では、すべてのＵＬ制御情報が基準信号とともに送信されるわけではない。どちらの場合も、利用可能な基準信号なしのいくつかのＵＬ制御情報があることを意味する。そのような場合、以前の制御信号の１つと、以前の制御情報の１つの制御信号とを、利用可能な基準信号なしのＵＬ制御情報のための基準信号として使用することができる。本開示の一実施形態では、利用可能な基準信号を伴わないＵＬ制御情報のための基準信号は、以前の基準信号および以前の制御情報から、利用可能な基準信号を伴わないＵＬ制御情報までの時間間隔に依存する。
【０１１１】
図３１は、ＵＬ情報を受信するための装置をさらに示す。図３１に示すように、装置３１００は、基準信号受信部３１１０と、制御情報受信部３１２０と、復調部３１３０と、を備える。基準信号受信部３１１０は、第１のシーケンスを使用して送信された基準信号を受信するように構成してもよい。制御情報受信部３１２０は、第２のシーケンスを使用して送信された制御情報を受信するように構成してもよい。復調部３１３０は、基準信号を使用して制御情報を復調するように構成してもよい。特に、基準信号とＵＬ制御情報は、周波数領域で互い違いにずらして多重化される。
【０１１２】
本開示の一実施形態では、復調部３１３０は、第２のシーケンスとともにチャネル情報を使用してＵＬ制御情報を取得するようにさらに構成され、チャネル情報は、第１のシーケンスを使用することによって基準信号から取得される。
【０１１３】
本開示の別の実施形態では、復調部３１３０は、第１のシーケンスを使用して基準信号から得られるチャネル情報を使用して第２のシーケンスを取得し、第１のシーケンスと第２のシーケンスとの間の関係に基づいて制御情報を取得するようにさらに構成される。
【０１１４】
本開示の一実施形態では、第１のシーケンスおよび第２のシーケンスは同一であってもよく、または同じ基本シーケンスを共有してもよい。本開示の別の実施形態では、第１のシーケンスおよび第２のシーケンスは、異なる基本シーケンスを有することができる。
【０１１５】
本開示の一実施形態では、基準信号およびＵＬ制御情報は、１つのＵＬ制御情報に対して１つの基準信号を有する１つのリソースエレメント毎に互い違いにずらして多重化される。本開示の別の実施形態では、基準信号およびＵＬ制御情報は、２つ以上のリソースエレメント毎に、ＵＬ制御情報の２つ以上の部分によって共有される１つの基準信号を用いて互い違いにずらして多重化される。
【０１１６】
本開示の一実施形態では、ＵＬ制御情報および基準信号は、システム帯域幅の両方のエッジにマッピングされる。本開示の別の実施形態では、ＵＬ制御情報および基準信号は、２つのシンボルでホッピングすることができる。
【０１１７】
本開示の一実施形態では、以前の基準信号および続く以前の制御情報のシーケンスのうちの１つは、利用可能な基準信号なしでＵＬ制御情報を復調するための基準信号として使用することができる。そのような場合、装置３１００は、前の基準信号から前の制御情報までの時間間隔に依存する利用可能な基準信号なしで、ＵＬ制御情報のための基準信号を決定するように構成された基準信号決定部３１４０をさらに備える。時間間隔は、利用可能な基準信号なしのＵＬ制御情報のための時間間隔である。
【０１１８】
以上、装置３０００および装置３１００について、図３０および図３１を参照して簡単に説明した。装置３０００および３１００は、図８乃至２９を参照して説明したような機能を実装するように構成されてもよいことに留意されたい。従って、これらの装置におけるモジュールの動作についての詳細は、図８乃至２９を参照して説明した方法の各ステップに関する記述を参照することができる。
【０１１９】
さらに、装置３０００および３１００の構成要素は、ハードウェア、ソフトウェア、ファームウェア、および／またはそれらの任意の組み合わせで具体化されてもよいことに留意されたい。例えば、装置３０００および３１００の構成要素は、回路、プロセッサまたは任意の他の適切な選択装置によってそれぞれ実現されてもよい。当業者であれば、上記の例は限定ではなく例示のためのものであることを理解するであろう。
【０１２０】
本開示のいくつかの実施形態では、装置３０００および３１００は、少なくとも１つのプロセッサを備えることができる。本開示の実施形態での使用に適した少なくとも１つのプロセッサは、例えば、将来知られている、または将来開発される汎用プロセッサおよび専用プロセッサの両方を含むことができる。装置３０００および３１００は、少なくとも１つのメモリをさらに備えることができる。少なくとも１つのメモリは、例えば、ＲＡＭ、ＲＯＭ、ＥＰＲＯＭ、ＥＥＰＲＯＭ、フラッシュメモリデバイスなどの半導体メモリデバイスを含むことができる。少なくとも１つのメモリは、コンピュータ実行可能命令のプログラムを格納するために使用されてもよい。このプログラムは、任意の高水準および／または低水準の適合可能または解釈可能なプログラミング言語で記述することができる。実施形態によれば、コンピュータ実行可能命令は、少なくとも１つのプロセッサを用いて、装置３０００および３１００に少なくとも図８乃至２９のそれぞれを参照して説明した方法による動作を実行させるように構成することができる。
【０１２１】
図３２はさらに、無線ネットワーク内の無線ネットワークのためのＵＥのような端末装置として具現化されるか、またはその中に含まれ得る装置３２１０の簡略化したブロック図を示し、装置３２２０は、本明細書で説明するＮＢまたはｅＮＢのような基地局である。
【０１２２】
装置３２１０は、データプロセッサ（ＤＰ）およびプロセッサ３２１１に結合された少なくとも１つのメモリ（ＭＥＭ）３２１２のような少なくとも１つのプロセッサ３２１１を備える。装置３２１０は、プロセッサ３２１１に結合された送信機ＴＸおよび受信機ＲＸ３２１３をさらに備えてもよく、プロセッサ３２１１は、装置３２２０に通信可能に接続して動作するようにしてもよい。ＭＥＭ３２１２は、プログラム（ＰＲＯＧ）３２１４を格納する。ＰＲＯＧ３２１４は、関連するプロセッサ３２１１上で実行された時、例えば、方法８００を実行するために、本開示の実施形態に従って装置３２１０が動作することを可能にする命令を含むことができる。少なくとも１つのプロセッサ３２１１と少なくとも１つのＭＥＭ３２１２との組み合わせは、本開示の様々な実施形態を実装するように適合された処理手段３２１５を形成することができる。
【０１２３】
装置３２２０は、ＤＰなどの少なくとも１つのプロセッサ３２２１と、プロセッサ３２２１に結合された少なくとも１つのＭＥＭ３２２２とを備える。装置３２２０は、プロセッサ３２２１に結合された適当なＴＸ／ＲＸ３２２３をさらに備えることができ、ＴＸ／ＲＸ３２２３は、装置３２１０と無線通信をするように動作することができる。ＭＥＭ３２２２は、ＰＲＯＧ３２２４を記憶する。ＰＲＯＧ３２２４は、関連するプロセッサ３２２１上で実行された時、本開示の実施形態に従って装置３２２０が動作することを可能にする命令、例えば、方法２９００を実行するための命令を含むことができる。少なくとも１つのプロセッサ３２２１と少なくとも１つのＭＥＭ３２２２の組み合わせは、本開示の様々な実施形態を実装するように適合された処理手段３２２５を形成することができる。
【０１２４】
本開示の様々な実施形態は、プロセッサ３２１１、３２２１、ソフトウェア、ファームウェア、ハードウェアの１つまたは複数による実行可能なコンピュータプログラムによって、またはそれらの組み合わせによって実行されてもよい。
【０１２５】
ＭＥＭ３２１２および３２２２は、ローカル技術環境に適した任意のタイプのものでよく、半導体ベースのメモリデバイス、磁気メモリデバイスおよびシステム、光メモリデバイスおよびシステムなどの任意の適切なデータ記憶技術を使用して実装することができ、メモリ、およびリムーバブルメモリを含むが、これらに限定されない。
【０１２６】
プロセッサ３２１１および３３２１は、ローカル技術環境に適した任意のタイプのものでよく、汎用コンピュータ、専用コンピュータ、マイクロプロセッサ、デジタル信号プロセッサＤＳＰおよびマルチコアプロセッサアーキテクチャに基づくプロセッサのうちの１つまたは複数を含むことができ、非限定的な例である。
【０１２７】
さらに、本開示は、キャリアが電子信号、光信号、無線信号、またはコンピュータ可読記憶媒体のうちの１つである、上記のようなコンピュータプログラムを含むキャリアを提供することもできる。コンピュータ読み取り可能な記憶媒体は、例えば、光コンパクトディスクまたはＲＡＭ（ランダムアクセスメモリ）、ＲＯＭ（読み出し専用メモリ）、フラッシュメモリ、磁気テープ、ＣＤ−ＲＯＭ、ＤＶＤ、ブルーレイディスクなどの電子メモリデバイスを含む。
【０１２８】
本明細書で説明される技術は、一実施形態で説明された対応する装置の１つまたは複数の機能を実装する装置が従来技術の手段だけでなく対応する１つまたは複数の機能を実装するための手段であり、装置は、それぞれの別個の機能のための別個の手段、または２つ以上の機能を実行するように構成され得る手段を備え得る。例えば、これらの技術は、ハードウェア（１つまたは複数の装置）、ファームウェア（１つまたは複数の装置）、ソフトウェア（１つまたは複数のモジュール）、またはそれらの組み合わせで実施されてもよい。ファームウェアまたはソフトウェアの場合、本明細書に記載の機能を実行するモジュール（例えば、プロシージャ、ファンクションなど）を介して実装を行うことができる。
【０１２９】
本明細書の例示的な実施形態は、方法および装置のブロック図およびフローチャート図を参照して上述されている。ブロック図およびフローチャート図の各ブロック、ならびにブロック図およびフローチャート図におけるブロックの組み合わせは、それぞれ、コンピュータプログラム命令を含む様々な手段によって実施できることが理解されよう。これらのコンピュータプログラム命令は、コンピュータまたは他のプログラマブルデータ処理装置上で実行される命令が、指定された機能を実行するための手段を作成するように、汎用コンピュータ、専用コンピュータ、または他のプログラム可能データ処理装置にロードされて、フローチャートの１つまたは複数のブロック内にある。
【０１３０】
本明細書は、多くの具体的な実装の詳細を含むが、これらは、実装の範囲または請求可能な範囲の限定として解釈されるべきではなく、特定の実装の特定の実施形態に特有の機能の記述として解釈されるべきである。別個の実施形態の文脈において本明細書で説明される特定の特徴は、単一の実施形態において組み合わせて実施されてもよい。逆に、単一の実施形態の文脈で記載されている様々な特徴は、複数の実施形態で別々にまたは任意の適切なサブコンビネーションで実施することもできる。さらに、特徴は、特定の組み合わせで作用するものとして上述されており、当初はそのように主張されているものであっても、ある場合には、請求された組み合わせからの１つまたは複数の特徴を組み合わせから切り出すことができ、またはサブコンビネーションのバリエーションを含むことができる。
【０１３１】
技術が進歩するにつれて、本発明の概念が様々な方法で実施できることは、当業者には明らかであろう。上述の実施形態は、本開示を限定するものではなく説明するために与えられており、当業者が容易に理解するように、本開示の精神および範囲から逸脱することなく改変および変形が可能であることを理解されたい。そのような改変および変形は、開示および添付の請求項の範囲内にあると考えられる。本開示の保護範囲は、添付の特許請求の範囲によって規定される。
【図１】
2020092442.tif 000003
【図２】
2020092442.tif 000004
【図３】
2020092442.tif 000005
【図４】
2020092442.tif 000006
【図５】
2020092442.tif 000007
【図６】
2020092442.tif 000008
【図７】
2020092442.tif 000009
【図８】
2020092442.tif 000010
【図９】
2020092442.tif 000011
【図１０】
2020092442.tif 000012
【図１１】
2020092442.tif 000013
【図１２】
2020092442.tif 000014
【図１３】
2020092442.tif 000015
【図１４Ａ】
2020092442.tif 000016
【図１４Ｂ】
2020092442.tif 000017
【図１４Ｃ】
2020092442.tif 000018
【図１４Ｄ】
2020092442.tif 000019
【図１４Ｅ】
2020092442.tif 000020
【図１５Ａ】
2020092442.tif 000021
【図１５Ｂ】
2020092442.tif 000022
【図１５Ｃ】
2020092442.tif 000023
【図１５Ｄ】
2020092442.tif 000024
【図１５Ｅ】
2020092442.tif 000025
【図１５Ｆ】
2020092442.tif 000026
【図１６Ａ】
2020092442.tif 000027
【図１６Ｂ】
2020092442.tif 000028
【図１６Ｃ】
2020092442.tif 000029
【図１６Ｄ】
2020092442.tif 000030
【図１７Ａ】
2020092442.tif 000031
【図１７Ｂ】
2020092442.tif 000032
【図１７Ｃ】
2020092442.tif 000033
【図１７Ｄ】
2020092442.tif 000034
【図１８Ａ】
2020092442.tif 000035
【図１８Ｂ】
2020092442.tif 000036
【図１８Ｃ】
2020092442.tif 000037
【図１８Ｄ】
2020092442.tif 000038
【図１９】
2020092442.tif 000039
【図２０】
2020092442.tif 000040
【図２１】
2020092442.tif 000041
【図２２】
2020092442.tif 000042
【図２３】
2020092442.tif 000043
【図２４】
2020092442.tif 000044
【図２５】
2020092442.tif 000045
【図２６Ａ】
2020092442.tif 000046
【図２６Ｂ】
2020092442.tif 000047
【図２７Ａ】
2020092442.tif 000048
【図２７Ｂ】
2020092442.tif 000049
【図２８Ａ】
2020092442.tif 000050
【図２８Ｂ】
2020092442.tif 000051
【図２８Ｃ】
2020092442.tif 000052
【図２９】
2020092442.tif 000053
【図３０】
2020092442.tif 000054
【図３１】
2020092442.tif 000055
【図３２】
2020092442.tif 000056